(57)【要約】【課題】ユーザーがスケジュール管理を簡単化できる無線通信装置を提供すること。【解決手段】スケジュールを自動登録する機能を有する無線通信装置において、通話内容からスケジュールに関するスケジュール情報を認識する音声認識部５とその意味を解析する意味解析部６とをスケジュール情報取得手段として設け、そのスケジュール情報をメモリ１２に自動的に記録するスケジュール管理部８を設ける。また、無線通信装置の位置情報を受信する位置情報入力部１を設け、スケジュール管理部８は、予定日時情報の日時となった場合には予定場所情報と無線通信装置の位置情報とを比較することでスケジュールの終了、未終了などの管理も自動で行う。【選択図】　図１
2004056290.tif 000002
【特許請求の範囲】
【請求項１】
スケジュールを自動登録する機能を有する無線通信装置において、
通話内容からスケジュールに関するスケジュール情報を取得するスケジュール情報取得手段と、
前記スケジュール情報を記録媒体に自動的に記録するスケジュール管理手段と、を有することを特徴とする無線通信装置。
【請求項２】
請求項１に記載の無線通信装置において、
前記無線通信装置の位置情報を受信する位置情報入力手段を有し、
前記スケジュール情報は、予定日時情報と予定場所情報を含み、
前記スケジュール管理手段は、前記予定日時情報の日時となった場合には、前記予定場所情報と前記位置情報とを比較することを特徴とする無線通信装置。
【発明の詳細な説明】
【０００１】
【発明の属する技術分野】
本発明は、携帯電話等の無線通信装置に関し、特にスケジュールを管理するスケジュール機能を有する無線通信装置に関する。
【０００２】
【従来の技術】
従来、携帯電話等の無線通信装置において、通話機能以外にメール機能、スケジュール機能をもつものが増えている。
【０００３】
スケジュール機能は、予定を登録しておくと、その日時にアラームやメッセージなどでユーザーに通知するものである。ただし、このスケジュールの登録はユーザーが手作業で入力するため、手間がかかる。
【０００４】
また、先行技術（特開２００１−１８６２７７号公報）のように、相手先が存在するスケジュールについて、スケジュールを登録したときに、自動的にスケジュールメールを送信し、その内容が相手側で自動に登録される仕組みを持つものもある。
【０００５】
【発明が解決しようとする課題】
しかしながら、従来の無線通信装置においては、スケジュール機能を使用する場合、ユーザーによるスケジュールの登録操作が必要になる。また、先行技術（特開２００１−１８６２７７号公報）においても、相手側はスケジュール入力操作を自動で行えるが、送り手側でスケジュールを入力操作で行うという意味では、手間となる。
【０００６】
本発明は、前記の問題点を解消するためになされたものであって、ユーザーがスケジュール管理を簡単化できる無線通信装置を提供することを目的とする。
【０００７】
【課題を解決するための手段】
本発明は、上記の目的を達成するため、次の構成を有する。
本発明の要旨は、スケジュールを自動登録する機能を有する無線通信装置において、通話内容からスケジュールに関するスケジュール情報を取得するスケジュール情報取得手段と、スケジュール情報を記録媒体に自動的に記録するスケジュール管理手段と、を有することを特徴とする。
【０００８】
本発明の要旨によれば、通話内容の音声認識機能を有するスケジュール情報取得手段をもつことによって自動でスケジュール情報の登録削除変更などを行うことができる。
【０００９】
また、無線通信装置の位置情報を受信する位置情報入力手段を設け、スケジュール情報に予定日時情報と予定場所情報を含み、スケジュール管理手段は、予定日時情報の日時となった場合には、予定場所情報と位置情報とを比較する。係る構成により、スケジュールの終了、未終了などの管理も自動で行うことができるようになり、更に簡単にスケジュールを扱うことが出来るようになる。
【００１０】
また、文字情報を受信可能（送受信可能）なメール手段を設け、メール等の文字情報の意味認識を行う機能を備えるスケジュール情報取得手段がこのメールの内容からスケジュールに関するスケジュール情報を取得し、スケジュール管理手段がそのスケジュール情報を記録媒体に自動的に記録することで、通話に加えてメール等の文字情報からスケジュール情報をも自動で管理でき、汎用的なスケジュール管理ができる。
【００１１】
【発明の実施の形態】
以下、図面を参照して本発明の実施形態を詳細に説明する。
図１に示す本実施形態に係る携帯装置は、位置情報入力部１、無線機２、マイク３、Ａ／Ｄ変換部４、音声認識部５、意味解析部６、キー入力部７、スケジュール管理部８、Ｄ／Ａ変換部９、表示器１０、スピーカー１１、メモリ１２、サウンダ１３を有する。尚、携帯端末であることから電池による電源の供給を受けている。
【００１２】
本実施形態に係る携帯端末として携帯電話機を例に説明するが、同様な携帯性、情報入出力性、情報管理性等の機能をもつ携帯端末、例えば、ＰＤＡ（Ｐｅｒｓｏｎａｌ　Ｄｉｇｉｔａｌ　Ａｓｓｉｓｔａｎｔ）等であればよい。
【００１３】
位置情報入力部１は、ＧＰＳ（Ｇｌｏｂａｌ　Ｐｏｓｉｔｉｏｎｉｎｇ　Ｓｙｓｔｅｍ；　全地球測位システム）などの公知の位置情報取得手段が用いられており、スケジュール管理部８と接続されている。
【００１４】
無線機２は、図示しない基地局との間で通信するための手段であり、有線／無線、アナログ／デジタル、方式等は問わない。無線機２で受信した音声信号は、音声認識部５に入力される。但し、受信する音声信号がアナログの場合は、Ａ／Ｄ変換部４を介して音声認識部５に入力する必要がある。
【００１５】
マイク３に入力した音声データは、Ａ／Ｄ変換部４でアナログ信号からデジタル信号に変換して音声認識部５に入力される。
【００１６】
音声認識部５は、無線機２やマイク３に入力された音声データをテキストデータのような記号データに変換する。記号データに変換された音声データは、意味解析部６に送られる。尚、前記無線機２に入力された音声データが既にテキストデータのような記号データであれば音声認識部５を通らずに意味解析部６に送られる。
【００１７】
意味解析部６は、形態素解析や構文解析法等を用して該記号データからスケジュールに関する単語の抽出、簡単な意味の解析が行われる。意味解析部６で得られたスケジュールに関するデータは、スケジュール管理部８に送られる。
【００１８】
スケジュール管理部８は、入力されたスケジュールに関するデータに基づいてメモリ１２へのスケジュールの登録、又はメモリ１２のスケジュールの更新処理を行う。また、スケジュール管理部８は、位置情報入力部１からの位置情報の入力処理、無線機２への音声データの出力処理、表示機１０への表示データの出力処理、スピーカー１１やサウンダ１３への音声出力処理、メモリ１２のメモリ管理処理などを行う。
【００１９】
前記デジタルの音声データは、Ｄ／Ａ変換部９を通って、アナログ信号に変換された後、スピーカー１１より使用者に向けて出力される。
【００２０】
キー入力部７やメモリ１２からの文字データやグラフィックデータは、スケジュール管理部８を介して表示機１０に表示される。表示機１０は、文字、図形、記号等を視認可能に表示するものであれば良く、例えば液晶ディスプレイ等が使用できる。
【００２１】
音、音楽データは、サウンダ１３から出力される。
【００２２】
スケジュールデータ、各種データは、メモリ１２に蓄えられる。メモリ１２は、データを書き込み、読み出し可能な記憶媒体であればよく、例えば半導体メモリ、磁気を利用したメモリ、光で読み取るメモリ等、いずれのメモリを用いてもよい。
【００２３】
次に、本実施形態に係る携帯装置によるスケジュール管理方法を説明する。先ず、スケジュール情報を通話中の音声データから自動登録する方法を図２のフローチャートを参照しながら説明する。
【００２４】
本実施形態に係る携帯装置を用いた通話時に、該通話中の前記無線機２やマイク３に入力された音声データを音声認識部５で認識し、文字、記号データに変換する（ステップＳ１）。
【００２５】
次に、前記文字データに置き換えられたものを意味解析部６で、キーワード抽出及び意味の抽出を行う（ステップＳ２）。ここでの意味解析は、全文である必要はなく、スケジュールに関連する単語（例、スケジュール、待ち合わせ、時間、予定、場所）をまず検出し、そのスケジュールに関連する単語を含む文章についてのみ意味の解析を行うことで、処理が簡略化できる。
【００２６】
ステップＳ２で抽出したキーワードや意味が、スケジュールに関連する内容か否か種々の方法で調べ（ステップＳ３）、もし、スケジュールに関連しない場合（ＮＯ）は、音声データを文字データに変換し（ステップＳ１）、スケジュールに関連する内容の場合（ＹＥＳ）は、スケジュール管理部８が、現在、メモリ１２に登録されているスケジュールデータと比較する（ステップＳ４）。
【００２７】
ステップＳ５で、上記ステップＳ４での比較結果がスケジュールと現在認識したスケジュールが重なっている場合（ＹＥＳ）、スケジュールが重なっていることをその場でサウンダ１３で音声メッセージを発生することでユーザーに伝えたり、表示部１０に表示メッセージを表示することでユーザーに伝える（ステップＳ６）。
【００２８】
そして、スケジュールを今登録されているものを消去して上書きするか、今登録しようとしているスケジュールを変更するかのユーザーからの指示を待ち（ステップＳ７）、キー入力部７から上書き指示が入力された場合にはステップＳ１へ戻り、変更指示が入力された場合にはスケジュールデータの変更（ステップＳ８）を行った後にステップＳ１へ戻る。
【００２９】
ステップＳ５において、スケジュールが重なっていない場合は、スケジュール登録の内容と確認を音声メッセージ及び表示メッセージで行い（ステップＳ９）、ＯＫならスケジュール管理部８がメモリ１２にスケジュールを登録（ステップＳ１１）、登録しない場合はステップＳ１へ戻る。これで、通話内容から自動的にスケジュールを登録することができる。
【００３０】
ここで、音声ではなくメールの内容からスケジュールを登録する場合は、ステップＳ１の音声データを文字データに変換するという部分を抜かして処理することで実現できる。
【００３１】
次に、登録されたスケジュールの日時の到来後のスケジュール管理方法を図３に示すフローチャートを参照しつつ説明する。
【００３２】
本実施形態では、スケジュール管理部８がメモリ１２に登録されたスケジュールの会合予定時間、会合予定場所と、本携帯電話機の位置情報を用いて会合予定の実行を自動的に認識して、スケジュールが消化できたかどうかを以後のスケジュールに反映するものである。
【００３３】
先ず、スケジュール管理部８が登録されているスケジュールの日時になったら、本携帯端末と会う予定の相手側携帯端末の位置情報を位置情報入力部１を介して取得する（ステップＳ２１）。尚、位置情報入力部１は、Ｂｌｕｅｔｏｏｔｈのような近距離通信機能を備え、本携帯端末（位置情報入力部１）の近くに相手の端末の反応があるかどうかで知る構成としてもよい。
【００３４】
次に、スケジュール管理部８は、両端末の位置情報が登録された予定位置で一致したかどうか判断し（ステップＳ２２）、一致したら予定実行終了とみなし、メモリ１２のスケジュールに終了のマークを記録する（ステップＳ２６）。もし、一定時間内に一致しない場合、表示機１０にその旨のメッセージを表示することでユーザーに知らせ（ステップＳ２３）、且つ、ユーザーからの再予約するかどうかの入力指示を待つ（ステップＳ２４）。キー入力部７を介して再予約の必要なしの入力があった場合はスケジュールから消去（ステップＳ２５）、再予約の入力があった場合は無線機２を介して相手電話番号に電話をかける処理を行う（ステップＳ２７）。ここはメールでもよい。
【００３５】
上記処理により、位置情報を用いて会合予定を自動的に認識して、スケジュールが消化できたかどうかを反映する処理を行うことができる。
【００３６】
尚、上記説明では相手側携帯端末の位置情報を取得することで、面端、会合等のスケジュールの実行（消化）を確実に管理できるが、相手を特定しない場合や相手のいない場合等には相手側携帯端末の位置情報を必ずしも取得する必要はない。
【００３７】
【発明の効果】
以上説明した通り、本発明の要旨によれば、通話内容の音声認識を行う機能をもつことによって、自動でスケジュール情報の登録削除変更などを行うことができる。これにより、手間のかかる手動での登録作業が必要なくなり、より簡単にスケジュールを活用することができるようになる。
【００３８】
また、位置情報を取得する機能をもつことにより、スケジュールの終了、未終了などの管理も自動で行うことができるようになり、更に簡単にスケジュールを扱うことが出来るようになる。
【００３９】
また、メール等の文字情報の意味認識を行う機能をもつことによって、自動でスケジュール情報の登録削除変更などを行うことができる。これにより、手間のかかる手動での登録作業が必要なくなり、より簡単にスケジュールを活用することができるようになる。
【図面の簡単な説明】
【図１】本発明の実施形態に係る携帯装置のブロック図である。
【図２】本発明の実施形態に係るスケジュールを自動登録する方法を説明するためのフローチャートである。
【図３】本発明の実施形態に係る位置情報でスケジュールをこなしたことを自動認識する方法を説明するためのフローチャートである。
【符号の説明】
１　位置情報入力部
２　無線機
３　マイク
５　音声認識部
６　意味解析部
８　スケジュール管理部
１０　表示器
１２　メモリ
【図１】
2004056290.tif 000003
【図２】
2004056290.tif 000004
【図３】
2004056290.tif 000005